(57)【要約】【課題】簡易的な構成によって、インデックス信号のズレに伴う投影画像の品質低下を改善する技術を提供する。【解決手段】同期補正処理が開始されると、白色光がカラーホイールに投射され（Ｓ１０）、光学変調素子制御部は、インデックス信号を基準としてＢＬＵＥ期間だけ光学変調素子をオンする（Ｓ１２）。そして、プロジェクターから投射された出力画像の輝度測定が開始される（Ｓ１４）。インデックス値の設計位置のＢＬＵＥ信号のタイミング期間及びその前後２つのタイミングで輝度が測定され（Ｓ１６）、輝度が最低のタイミング期間（インデックス値）が抽出される（Ｓ１８）。抽出されたインデックス値が最適値に収束している場合（Ｓ２０のＹ）、抽出されたインデックス値に対応するタイミング期間と、基準となるＢＬＵＥ信号の期間とのズレが算出される（Ｓ２２）。算出したずれ量が同期処理に反映される（Ｓ２４）。【選択図】図７
2014066973.tif 000002
【特許請求の範囲】
【請求項１】
複数のセグメントを有するカラーホイールを用いた画像表示装置であって、
インデックス信号を基準にして前記複数のセグメントのうち予め定められた所定のセグメントの期間の輝度値を取得するとともに、前記所定のセグメントの期間の前後の期間の輝度値を取得し、最小の輝度値となる期間を特定し、前記所定のセグメントの期間と前記特定した最小の輝度値となる期間とのズレを算出するズレ算出部と、
前記ズレを前記カラーホイールの同期調整に反映させる同期調整部と、
を有し、
前記所定のセグメントは、同一期間における透過光の輝度が最小となるセグメントである
ことを特徴とする画像表示装置。
【請求項２】
前記ズレ算出部は、前記最小の輝度値が所定に収束していない場合、前記最小の輝度値のタイミング及びその前後のタイミングの輝度値を取得し、再度最小となる輝度値を特定することを特徴とする請求項１に記載の画像表示装置。
【請求項３】
複数のセグメントを有するカラーホイールを用いた画像表示装置であって、
インデックス信号を基準にして前記複数のセグメントのうち予め定められた所定のセグメントの期間の輝度値を取得するとともに、前記所定のセグメントの期間の前後の期間の輝度値を取得し、最大の輝度値となる期間を特定し、前記所定のセグメントの期間と前記特定した最大の輝度値となる期間とのズレを算出するズレ算出部と、
前記ズレを前記カラーホイールの同期調整に反映させる同期調整部と、
を有し、
前記所定のセグメントは、同一期間における透過光の輝度が最大となるセグメントである
ことを特徴とする画像表示装置。
【請求項４】
前記ズレ算出部は、前記最大の輝度値が所定に収束していない場合、前記最大の輝度値のタイミング及びその前後のタイミングの輝度値を取得し、再度最大となる輝度値を特定することを特徴とする請求項３に記載の画像表示装置。
【請求項５】
複数のセグメントを有するカラーホイールを用いた画像表示装置における調整方法であって、
インデックス信号を基準にして前記複数のセグメントのうち予め定められた所定のセグメントの期間の輝度値を取得するとともに、前記所定のセグメントの期間の前後の期間の輝度値を取得する輝度取得工程と、
前記取得した輝度値の中から最小の輝度値となる期間を特定する特定工程と、
前記所定のセグメントの期間と前記特定した最小の輝度値となる期間とのズレを算出するズレ算出工程と、
前記ズレを前記カラーホイールの同期調整に反映させるズレ反映工程と、
を有し、
前記所定のセグメントは、同一期間における透過光の輝度が最小となるセグメントである
ことを特徴とする調整方法。
【請求項６】
前記ズレ算出工程において前記最小の輝度値が所定に収束していない場合、前記最小の輝度値のタイミング及びその前後のタイミングの輝度値を取得する輝度再取得工程と、再度最小となる輝度値を特定する再特定工程とを有し、
前記ズレ算出工程は、前記再特定工程の特定結果を用いてズレを算出することを特徴とする請求項５に記載の調整方法。
【請求項７】
複数のセグメントを有するカラーホイールを用いた画像表示装置における調整方法であって、
インデックス信号を基準にして前記複数のセグメントのうち予め定められた所定のセグメントの期間の輝度値を取得するとともに、前記所定のセグメントの期間の前後の期間の輝度値を取得する輝度取得工程と、
前記取得した輝度値の中から最大の輝度値となる期間を特定する特定工程と、
前記所定のセグメントの期間と前記特定した最大の輝度値となる期間とのズレを算出するズレ算出工程と、
前記ズレを前記カラーホイールの同期調整に反映させるズレ反映工程と、
を有し、
前記所定のセグメントは、同一期間における透過光の輝度が最大となるセグメントである
ことを特徴とする調整方法。
【請求項８】
前記ズレ算出工程において前記最大の輝度値が所定に収束していない場合、前記最大の輝度値のタイミング及びその前後のタイミングの輝度値を取得する輝度再取得工程と、再度最大となる輝度値を特定する再特定工程とを有し、
前記ズレ算出工程は、前記再特定工程の特定結果を用いてズレを算出する
ことを特徴とする請求項７に記載の調整方法。
【発明の詳細な説明】
【技術分野】
【０００１】
本発明は、画像表示装置及び調整方法に係り、例えば、プロジェクター等の画像表示装置及びその調整方法に関する。
【背景技術】
【０００２】
一般的に、カラーホイールを用いたフィールドシーケンシャル方式のプロジェクター等の画像表示装置においては、ランプからの光の色分離を行うカラーホイールの回転位置を検出し映像処理、より具体的にはＤＭＤ等の光学変調素子と同期させる必要がある。同期が不適切な場合、表示映像に混色等の不具合が発生してしまうことがある。
【０００３】
カラーホイールの回転位置検出信号（インデックス信号）を生成する技術では、カラーホイール回転部に設けられた回転位置検出マークを反射型のフォトインタラプタ（インデックスセンサー）を用いて検出し、検出した信号を同期のためのインデックス信号として利用している。
【０００４】
同期を正確に行うには、カラーホイールとそれを駆動するモーターとの取り付け状態や、回転位置検出マークの位置が適正である必要があり、高い精度が求められている。しかしながら、製造工程にあっては、上記取り付け作業や回転位置検出マークの貼り付け等は、手作業でなされることがあり、その場合、どうしても位置ズレ等の誤差が生じ、その結果、インデックス信号のタイミングがズレてしまう。位置精度として、例えば、０．１ｍｍ程度のズレが生じた場合でも、表示映像が悪化してしまうことがある。そこで、カラーホイールのインデックス信号と透過光との間のタイミング補正を、製品一台毎に行う必要があった。
【０００５】
タイミング補正（同期補正）に関しては各種の技術が提案されている。例えば、単色のテスト画像に基づく映像光が前記表示素子から出射された状態で、色検出部から色検出信号を取得し、取得した色検出信号に基づいて、テスト画像の色純度が最大となるように位置検出信号の出力タイミングを調整する技術がある（例えば、特許文献１参照）。
【０００６】
また、別の技術として、カラーホイールフィルターの色切替部分で調整する技術もある（例えば、特許文献２参照）。
【先行技術文献】
【特許文献】
【０００７】
【特許文献１】特開２０１２−３２１３号公報
【特許文献２】特開２００５−２４２１７５号公報
【発明の概要】
【発明が解決しようとする課題】
【０００８】
ところで、上述のように、投影画像に混色等が起きないよう手作業でタイミング調整を行うケースが多いが、この場合、作業者の人件費がかかるほか、調整精度が低く、品質が安定しないという課題があった。
【０００９】
また、特許文献１に開示の技術では色純度が調整の指標の為、輝度情報だけでなく色度情報が必要なためシステムが複雑になるという課題があり別の技術が求められていた。
【００１０】
また、特許文献２に開示の技術では、色検出はカラーホイール一周期期間の全部分で行っており、処理が複雑になり、簡便な調整技術が求められていた。
【００１１】
本発明は以上のような状況に鑑みなされたものであって、上記課題を解決する技術を提供することを目的とする。
【課題を解決するための手段】
【００１２】
本発明は、複数のセグメントを有するカラーホイールを用いた画像表示装置であって、インデックス信号を基準にして前記複数のセグメントのうち予め定められた所定のセグメントの期間の輝度値を取得するとともに、前記所定のセグメントの期間の前後の期間の輝度値を取得し、最小の輝度値となる期間を特定し、前記所定のセグメントの期間と前記特定した最小の輝度値となる期間とのズレを算出するズレ算出部と、前記ズレを前記カラーホイールの同期調整に反映させる同期調整部と、を有し、前記所定のセグメントは、同一期間における透過光の輝度が最小となるセグメントである。
また、前記ズレ算出部は、前記最小の輝度値が所定に収束していない場合、前記最小の輝度値のタイミング及びその前後のタイミングの輝度値を取得し、再度最小となる輝度値を特定してもよい。
本発明は、複数のセグメントを有するカラーホイールを用いた画像表示装置であって、インデックス信号を基準にして前記複数のセグメントのうち予め定められた所定のセグメントの期間の輝度値を取得するとともに、前記所定のセグメントの期間の前後の期間の輝度値を取得し、最大の輝度値となる期間を特定し、前記所定のセグメントの期間と前記特定した最大の輝度値となる期間とのズレを算出するズレ算出部と、前記ズレを前記カラーホイールの同期調整に反映させる同期調整部と、を有し、前記所定のセグメントは、同一期間における透過光の輝度が最大となるセグメントである。
また、前記ズレ算出部は、前記最大の輝度値が所定に収束していない場合、前記最大の輝度値のタイミング及びその前後のタイミングの輝度値を取得し、再度最大となる輝度値を特定してもよい。
本発明は、複数のセグメントを有するカラーホイールを用いた画像表示装置における調整方法であって、インデックス信号を基準にして前記複数のセグメントのうち予め定められた所定のセグメントの期間の輝度値を取得するとともに、前記所定のセグメントの期間の前後の期間の輝度値を取得する輝度取得工程と、前記取得した輝度値の中から最小の輝度値となる期間を特定する特定工程と、前記所定のセグメントの期間と前記特定した最小の輝度値となる期間とのズレを算出するズレ算出工程と、前記ズレを前記カラーホイールの同期調整に反映させるズレ反映工程と、を有し、前記所定のセグメントは、同一期間における透過光の輝度が最小となるセグメントである。
また、前記ズレ算出工程において前記最小の輝度値が所定に収束していない場合、前記最小の輝度値のタイミング及びその前後のタイミングの輝度値を取得する輝度再取得工程と、再度最小となる輝度値を特定する再特定工程とを有し、前記ズレ算出工程は、前記再特定工程の特定結果を用いてズレを算出してもよい。
本発明は、複数のセグメントを有するカラーホイールを用いた画像表示装置における調整方法であって、インデックス信号を基準にして前記複数のセグメントのうち予め定められた所定のセグメントの期間の輝度値を取得するとともに、前記所定のセグメントの期間の前後の期間の輝度値を取得する輝度取得工程と、前記取得した輝度値の中から最大の輝度値となる期間を特定する特定工程と、前記所定のセグメントの期間と前記特定した最大の輝度値となる期間とのズレを算出するズレ算出工程と、前記ズレを前記カラーホイールの同期調整に反映させるズレ反映工程と、を有し、前記所定のセグメントは、同一期間における透過光の輝度が最大となるセグメントである。
ことを特徴とする調整方法。
また、前記ズレ算出工程において前記最大の輝度値が所定に収束していない場合、前記最大の輝度値のタイミング及びその前後のタイミングの輝度値を取得する輝度再取得工程と、再度最大となる輝度値を特定する再特定工程とを有し、前記ズレ算出工程は、前記再特定工程の特定結果を用いてズレを算出してもよい。
【発明の効果】
【００１３】
本発明によれば、簡易的な構成によって、インデックス信号のズレに伴う投影画像の品質低下を改善する技術を提供することができる。
【図面の簡単な説明】
【００１４】
【図１】実施形態に係る、プロジェクターの機能ブロック図である。
【図２】実施形態に係る、インデックス信号と基準ＢＬＵＥタイミング期間の関係を示す図である。
【図３】実施形態に係る、同期調整における１回目のＢＬＵＥ期間の測定タイミングを示す図である。
【図４】実施形態に係る、同期調整における２回目のＢＬＵＥ期間の測定タイミングを示す図である。
【図５】実施形態に係る、同期調整における３回目のＢＬＵＥ期間の測定タイミングを示す図である。
【図６】実施形態に係る、同期調整における４回目のＢＬＵＥ期間の測定タイミングを示す図である。
【図７】実施形態に係る、同期調整の処理を示すフローチャートである。
【発明を実施するための形態】
【００１５】
本発明を実施するための形態（以下、単に「実施形態」という）を、図面を参照して具体的に説明する。本実施形態の概要は次の通りである。カラーホイールを用いた画像表示装置において、カラーホイールを透過した光のうち、インデックス信号を基準に設定したサンプリング期間（ＢＬＵＥのタイミング期間）の光量を光センサー（輝度計）で測定し、タイミングの補正値を決定する。なお、本実施形態では、カラーホイールを用いた画像表示装置として、投射型画像表示装置であるプロジェクターについて例示するが、直視型の画像表示装置についても適用可能である。
【００１６】
図１は、本実施形態のプロジェクター１０の構成を示すブロック図であって、図中の白抜矢印は光を示す。
【００１７】
本実施形態のプロジェクター１０は、一般的な構成として、光源となるハロゲンランプや超高圧水銀ランプ等の白色光を放射するランプ１１及びランプ１１に電力を供給する電力供給回路２１を備える。電力供給回路２１及びランプ１１は、電力線で接続されており、ランプ１１は、電力供給回路２１から供給された電力に応じた光量の白色光を放射する。ランプ１１から放射された白色光は、カラーホイール１２に投射される。
【００１８】
カラーホイール１２は、円盤の中心軸周りにそれぞれに固有の色の光を透過させる複数のフィルターを備えている。カラーホイール１２の中心軸にモーターが直結され、中心軸を回転軸としてモーターによって回転する構成となっている。カラーホイール１２の各フィルターは、白色（Ｗ）、赤色（Ｒ）、緑色（Ｇ）及び青色（Ｂ）となる透過光を生成する４つのセグメントを有して構成されている。
【００１９】
また、ＲＧＢＷの４セグメント構成は、その角度をＲセグメント１１０度、Ｇセグメント９０度、Ｂセグメント１００度、Ｗセグメント６０度としている。なお、各セグメント構成は、上記に限定されるものでなく、どのような構成のカラーホイールに対しても適用可能である。
【００２０】
ランプ１１から放射された白色光は、いずれかのセグメント（フィルター）を透過する。これによりカラーホイール１２は、回転に伴いＲＧＢＷ各色の色を繰り返し生成し、色生成手段として機能する。
【００２１】
カラーホイール１２のフィルターを透過した光は、平板状の素子であるＤＭＤを用いてなる光学変調素子１３に投射される。光学変調素子１３は、映像信号に基づいた画像を形成し画像に対応して投射光を反射させる。光学変調素子１３で反射されたＲＧＢＷの各色の光は、投射光学系１４によって外部へ投射される。時分割でＲＧＢＷ各色の画像が外部のスクリーン又は壁等に投影され、使用者にはカラー画像として認識される。光学変調素子１３には、液晶パネルが用いられてもよい。
【００２２】
映像入力部２５には、パーソナルコンピューター又は映像再生装置等の外部装置が接続され、映像信号が入力される。プロジェクター１０は、演算を行うＣＰＵ、演算に必要なプログラム及び各種テーブル等の情報を記憶するＲＯＭ、並びに一時的に発生した情報を記憶するＲＡＭ等からなる制御部２４を備えている。映像入力部２５に入力された映像信号は制御部２４に与えられ、映像信号のフィールド周波数に同期した信号がカラーホイール制御部２３に与えられる。カラーホイール制御部２３は、映像信号のフィールド周波数の所定倍（例えば、３倍）の回転周波数となるようにカラーホイール１２に設けられた図示しないモーターの回転を制御してカラーホイール１２を回転させる。
【００２３】
カラーホイール１２の回転部分（なお、図１においては便宜的に外周部分）には、基準位置検出用マーク（タイミングインデックスマーク）２７が設けられている。また、基準位置検出用マーク２７を検出するための基準位置検出用フォトインタラプタがインデックスセンサー２６として設けられている。カラーホイール１２が回転する場合、インデックスセンサー２６は、１回転毎に基準位置信号（インデックス信号又はそのベースとなる信号）を制御部２４に対して出力する。なお、本実施形態では、基準位置検出用マーク２７は、Ｒセグメントの開始タイミングにパルス出力する位置に対応して設けられているが、当然、他のセグメントの開始タイミングに対応させた位置に設けられたり、その他の位置に設けられたりしてもよい。
【００２４】
制御部２４は、基準位置信号に基づきランプ１１から放射される白色光がカラーホイール１２のいずれのセグメント（フィルター）を透過しているかを判定し、映像信号に基づいて各色に対応する画像を光学変調素子制御部２２に与える。
【００２５】
さらに、基準位置検出用マーク２７のずれを補正するための構成として、制御部２４は、補正部３２及び光量取得部３４を有する。
【００２６】
本実施形態の調整処理では輝度を用いるので、光センサー２８は輝度センサーとして機能するものであればよい。
【００２７】
光量取得部３４は、同期補正処理を行う際に、情報伝達手段である通信インタフェイス２９を介して光センサー２８と接続され、光センサー２８の計測結果を取得する。
【００２８】
情報伝達手段の方式としては、例えば、シリアル通信ケーブルや赤外線通信（無線）があるが、特に限定するものではない。同期補正処理時以外では、シリアル通信ケーブル等は取り外され接続が解除される。つまり、光センサー２８は、制御部２４に、調整時（補正処理時）に一時的な情報伝達手段で接続される。このような構成を採用することで、プロジェクター１０の単価アップを回避することができる。
【００２９】
補正部３２は、光センサー２８から取得した計測結果をもとに、基準位置検出用マーク２７のズレ量、つまりインデックス信号のズレ量を算定し、同期補正を行う。同期補正の処理の詳細については後述するが、Ｂセグメントの期間（上述のように角度１１０度の期間）の輝度値をインデックス値として用いて、インデックス値が最小値となるように同期補正がなされる。
【００３０】
図２はインデックス信号（基準位置検出用マーク２７）が理論位置の場合と、ズレ発生時の場合のそれぞれの基準ＢＬＵＥタイミング期間の関係を示している。基準ＢＬＵＥタイミング期間とは、ＢＬＵＥ信号が出力されている期間に相当する。
【００３１】
ズレが発生している場合には、ＢＬＵＥ信号が出力されている期間に、青色光（単に「Ｂ光」ともいう）以外の光が光学変調素子１３に照射されるため、出力画像が純粋な青色とはならない。Ｂ光は本来最も輝度が低くなる特性となっていることから、別の光が含まれると、その輝度が高くなる。したがって、インデックス値が適正値よりも高くなる。
【００３２】
そして、インデックス値が適正な値に近づくにつれて、ＢＬＵＥ信号が出力されている期間において光学変調素子１３へ照射されるＢ光の光量が多くなっていき、これに伴って、輝度が低くなっていく。
【００３３】
そして、インデックス値が最適な値になると、ＢＬＵＥ信号が出力されている期間に、Ｂ光のみが光学変調素子１３に照射されるようになる。その結果、出力画像が純粋な青色となる。このとき、出力画像の輝度が最低となる。
【００３４】
制御部２４は、出力画像の輝度が最低となるインデックス値を求めるべく、以下の図３から図６に示す測定タイミングチャートによる処理を行う。ここでは、図２で示したズレが発生しているものと想定する。
【００３５】
まず、図３に示す工程によって、１回目の適正インデックス値抽出工程がなされる。制御部２４は、ＢＬＵＥ信号のタイミング期間のインデックス値設計位置と任意の前後２点のインデックス位置で輝度を測定する。ここでは、第２の測定タイミングがインデックス値設計位置であり、第１の測定タイミングがインデックス値設計位置より後にオフセットされており、第３の測定タイミングが前にオフセットされている。オフセット量は最終的には計測時間との関係で適宜設定可能であるが、本実施形態では、１回目の計測では、第１〜第３の測定タイミングが重複せずにかつ連続するように設定されており、２回目以降は第１〜第３の測定タイミングを順次１／２に短くするとともに、第１及び第３の測定タイミングを第２の測定タイミングに重複させかつ重複率も増加するようにずらしていく。
【００３６】
制御部２４は、３点のインデックス値の中から、輝度が最低となるインデックス値を抽出する。
【００３７】
図３の例では、第１の測定タイミングのインデックス値が９００ｌｘ、第２の測定タイミングのインデックス値が３００ｌｘ、第３の測定タイミングのインデックス値が５００ｌｘである。したがって、最も輝度の低い第２の測定タイミングが、３つのタイミングのうち最も青の適正タイミングに近いと考えられ、第１の抽出インデックス値として抽出される。
【００３８】
つづいて、図４に示す工程によって、２回目の適正インデックス値抽出工程がなされる。第１の抽出インデックス値（図３の第２の測定タイミング）の期間を中心とした前後の期間で、図３で示した工程と同様にして、輝度が測定される。ただし、ここで前後に設定されるオフセット間隔は、１回目の適正インデックス値抽出工程におけるオフセット間隔の１／２に設定される。
【００３９】
次に、制御部２４は、第１〜第３の測定タイミングのインデックス値の中から、輝度が最低となるインデックス値（第２の抽出インデックス値）を抽出する。図４の例では、第１の測定タイミングのインデックス値が５００ｌｘ、第２の測定タイミングのインデックス値が３００ｌｘ、第３の測定タイミングのインデックス値が２００ｌｘである。したがって、最も低い値である第３の測定タイミングのインデックス値が適正値に近いと考えられ、第２の抽出インデックス値として抽出される。
【００４０】
次に、制御部２４は、予め設定したインデックス値の分解能が最小となったか否かを判定する。たとえば、インデックス値が１刻みに設定されている場合には、３つのインデックス値が連続した整数となり、次の前後の２点が取れなくなったときに、分解能が最小となったと判定する。なお、この判定は１回目の適正インデックス値抽出工程後になされてもよい。また、ここでは分解能は１０に設定されているものとする。
【００４１】
制御部２４は、分解能が最小でないと判定すると、図５に示すように、再び、第２の抽出インデックス値に対応する期間（図４の第２の測定タイミング）の前後の２期間において輝度、つまりインデックス値を測定する。第１の測定タイミングのインデックス値が１００ｌｘ、第２の測定タイミングのインデックス値が２００ｌｘ、第３の測定タイミングのインデックス値が３００ｌｘである。したがって、最も低い値である第１の測定タイミングのインデックス値が適正値に近いと考えられ、第３の抽出インデックス値として抽出される。
【００４２】
そして同様に、制御部２４は分解能が最小となったか否かを判断する。こうして、インデックス値の分解能が最小となった判定されるまで、処理を繰り返す。これにより、輝度が最低となるインデックス値に近づいていく。
【００４３】
やがて、図６で示す測定結果では、第１の測定タイミングのインデックス値が１１０ｌｘ、第２の測定タイミングのインデックス値が１００ｌｘ、第３の測定タイミングのインデックス値が１１０ｌｘである。したがって、最も低い値である第２の測定タイミングのインデックス値が適正値に近いと考えられ、第４の抽出インデックス値として抽出される。
【００４４】
そして、上述のように設定されている最小分解能が１０であり、図示のようにインデックス値の分解能が最小になっている。したがって、制御部２４は、最後に抽出したインデックス値を、輝度が最低となるインデックス値、即ち、最適なインデックス値（最適インデックス値）として、補正部３２に通知する。同時に、最適インデックス値に対応するタイミング期間を補正部３２に通知する。
【００４５】
そして、補正部３２は、最適インデックス値に対応するタイミング期間と基準ＢＬＵＥタイミング期間とのずれ量を算定し、同期補正に反映させ、同期補正処理が完了する。
【００４６】
このような処理を行うことで、インデックス信号のズレ、つまり、基準位置検出用マーク２７のズレに伴う投影画像の品質低下を改善することができる。また、簡易的な構成で実現できるため、コストの観点から当該技術の導入が容易となる。
【００４７】
上記同期補正処理を簡単に纏めた処理を図７のフローチャートに示す。
同期補正処理が開始されると、ランプ１１から白色光がカラーホイール１２に投射される（Ｓ１０）。光学変調素子制御部２２は、インデックス信号を基準としてＢＬＵＥ期間（Ｂセグメント期間）だけ光学変調素子１３をオンする（Ｓ１２）。そして、プロジェクター１０から投射された出力画像の輝度測定が開始される（Ｓ１４）。
【００４８】
インデックス値の設計位置のＢＬＵＥ信号のタイミング期間及びその前後２つのタイミングで輝度が測定される（Ｓ１６）。そして測定された３つのタイミングのうち、輝度が最低のタイミング期間（インデックス値）が抽出される（Ｓ１８）。
【００４９】
そして抽出されたインデックス値が最小分解能になる等して最適値に収束しているか否かが判断される（Ｓ２０）。収束していない場合（Ｓ２０のＮ）、Ｓ１６の処理に戻る。収束している場合（Ｓ２０のＹ）、抽出されたインデックス値に対応するタイミング期間と、基準となるＢＬＵＥ信号の期間とのズレが算出される（Ｓ２２）。その後、算出したずれ量が同期処理に反映される（Ｓ２４）。
【００５０】
なお、本実施形態ではＢＬＵＥ信号のタイミング期間の輝度を測定することにより、最低輝度で同期調整を図っているが、最大輝度となるＷＨＩＴＥ信号のタイミング期間の輝度を測定することにより、最大輝度で同期調整を図ることも出来る。
【００５１】
また、本実施形態では、インデックス値が収束するまで処理がなされているが、所定回数の測定で打ち切ってもよい。完全な同期調整は出来ないものの、一定の調整は実現でき、視認性に影響を与えないレベルまで調整は可能である。また、所定回数の測定で収束しない場合、ずれ量が大きいものとしてエラー通知がなされてもよい。
【００５２】
以上、本発明を実施形態をもとに説明した。この実施形態は例示であり、それらの各構成要素の組み合わせ等にいろいろな変形例が可能なこと、またそうした変形例も本発明の範囲にあることは当業者に理解されるところである。
【符号の説明】
【００５３】
１０  プロジェクター
１１  ランプ
１２  カラーホイール
１３  光学変調素子
１４  投射光学系
２１  電力供給回路
２２  光学変調素子制御部
２３  カラーホイール制御部
２４  制御部
２５  映像入力部
２６  インデックスセンサー
２７  基準位置検出用マーク
２８  光センサー
２９  通信インタフェイス
３２  補正部
３４  光量取得部
【図１】
2014066973.tif 000003
【図２】
2014066973.tif 000004
【図３】
2014066973.tif 000005
【図４】
2014066973.tif 000006
【図５】
2014066973.tif 000007
【図６】
2014066973.tif 000008
【図７】
2014066973.tif 000009